(57)【要約】【課題】施工後にコンクリートの強度が劣ることなく、ブロック体の露出部分が小さくなり綺麗な仕上げ外観を呈し、鉄筋への装着時に簡単な操作で迅速に鉄筋に装着できる鉄筋コンクリート用スペーサを提供する。【解決手段】鉄筋コンクリート用スペーサ１のブロック体１Ａは、鉄筋６、７を配置した型取り部８にコンクリートを流し込む際に鉄筋６、７と型取り部８との間に所定の間隔Ｓを保持し、型取り部８で縦横に指向して並ぶ鉄筋６、７の交差部９で縦方向の鉄筋６を湾曲部を介して受ける受け金具４および横方向の鉄筋７を受ける受容部５と、型取り部８と一点接触により当接する球面部を形成した当接部２とを備える。【選択図】        図２
2004176260.tif 000002
【特許請求の範囲】
【請求項１】
鉄筋コンクリートを生成する際に前記鉄筋と型取り部との間に所定の間隔を保持する鉄筋コンクリート用スペーサにおいて、
前記型取り部内で縦横に指向して並ぶ鉄筋の交差部で一方向の鉄筋を受ける受け金具および他方向の鉄筋を受ける受容部を設けたコンクリート製のブロック体と、  このブロック体に形成されて前記型取り部と一点接触により当接する球面部が形成された当接部とを備えることを特徴とする鉄筋コンクリート用スペーサ。
【請求項２】
前記受け金具は、ばね線材により互いに開口端を対向させた一対のフック部として形成され、前記受容部は段状に形成されることを特徴とする請求項１に記載の鉄筋コンクリート用スペーサ。
【請求項３】
前記受け金具は、ばね線材により形成されて前記鉄筋を受入れる時に弾性変形して案内することを特徴とする請求項１または請求項２に記載の鉄筋コンクリート用スペーサ。
【請求項４】
前記受容部は溝状に形成されていることを特徴とする請求項１または請求項３に記載の鉄筋コンクリート用スペーサ。
【請求項５】
前記受け金具は、ばね線材を中間部で互いに対称的に折り曲げて形成した一対のフック部からなり、各フック部は前記ブロック体に埋設された基部と、この基部から外方に膨出するように曲成した拡開部と、この拡開部から内方に曲げて形成した湾曲部と、この湾曲部からさらに内側に折り曲げて形成した返り部とを備えたことを特徴とする請求項１に記載の鉄筋コンクリート用スペーサ。
【請求項６】
前記ブロック体は全体的に略砲弾状に形成されることを特徴とする請求項１ないし請求項５のいずれかに記載の鉄筋コンクリート用スペーサ。
【発明の詳細な説明】
【０００１】
【発明の属する技術分野】
本発明は、鉄筋コンクリート施工時に鉄筋と型枠などの型取り部の間の間隔を所定に保持する鉄筋コンクリート用スペーサに関する。
【０００２】
【従来の技術】
鉄筋コンクリート造りの建造物の施工では、鉄筋を配置した型枠内にコンクリートを流し込む際に鉄筋と型枠との間の間隔を所定に保持するスペーサが用いられている。この種のスペーサとしては、型枠に当接する先端部が平坦面となっているブロックが用いられ、樹脂あるいは鉄製でブロックに埋設される基部と鉄金を挟み込む筒状の取付け部からなるフック、あるいは略Ｕ字状に曲成した基部をブロックに埋設し、両端部を逆Ｓ字状に曲げた取付け部としたばね線材製のクリップが用いられている。ブロックの型枠に当接する先端が平坦面であると、仕上げ時に鉄筋コンクリート面からブロックの先端が露出する部分が多くなり、外観の見栄えが悪くなるとともに、鉄筋コンクリートとの境界部分が多くなって表面強度が劣る不都合がある。樹脂製のフックでは、仕上げ後の鉄筋コンクリート中にフックが熱膨張率が大きい異物として残り、ひび割れの原因となり、筒状に形成した鉄製のフックの場合はコスト高になる。また、ばね線材製のクリップは、鉄筋に対する抜止め用の返り部を備えていないので、鉄筋組を型枠内に収容する過程でブロックと型枠とが擦れ合って脱落し易い問題があり、スペーサを鉄筋組に装着する際、クリップのばね線材の先端が突起となって手指に刺さる恐れがある。
【０００３】
このような不都合を一挙に改善した鉄筋コンクリート用スペーサが登場している（例えば特許文献１参照）。このスペーサでは、コンクリート製のブロックに一対のフックを対向状態に埋設し、ブロックの四つの膨出部に半球状の先端を小突起状に形成し、ブロックの先端を型枠の内壁面に多点接触（三〜五点接触）により当接させている。これにより、ブロックの安定的な装着を図るとともに、仕上げ後のコンクリート面から露出するブロックの部分を小さくして外観の見栄えを改善している。
【０００４】
【特許文献１】
特開２００２−６１３３４公報（第２頁、図３）
【０００５】
【発明が解決しようとする課題】
しかしながら、多点接触により型枠に当接させるスペーサでは、ブロックの小突起状の先端と型枠との間に隙間が不可避的に生じる。このため、コンクリートを型枠に流し込む時に水分の多いコンクリート成分だけが隙間からブロックの底部に流入して溜まる傾向にあり、施工後に鉄筋コンクリートが変色して黒ずみ見栄えが悪くなるとともに強度的に劣る不都合がある。
【０００６】
本発明は上記事情に鑑みてなされたもので、その第１の目的は鉄筋の交差部で縦方向の鉄筋および横方向の鉄筋を単一のブロック体で安定的に支持できるとともに、仕上げ後の鉄筋コンクリート面から露出するブロック体の部分を小さくして綺麗な外観を呈して見栄えがよく、施工後に鉄筋コンクリートの強度が劣ることがない鉄筋コンクリート用スペーサを提供することにある。
本発明の第２の目的は、比較的低コストで製造できて装着が容易で脱落しにくい上に、簡単な操作で迅速かつ確実に鉄筋をブロック体に装着することができる鉄筋コンクリート用スペーサを提供することにある。
【０００７】
【課題を解決するための手段】
鉄筋コンクリートを生成する際に前記鉄筋と型取り部との間に所定の間隔（Ｈ）を保持する鉄筋コンクリート用スペーサにおいて、ブロック体の受容部および受け金具は、型取り部内で縦横に指向して並ぶ鉄筋の交差部で一方向および他方向の鉄筋をそれぞれ受ける。当接部には型取り部と一点接触により当接する球面部が形成されている。
【０００８】
【発明の作用および効果】
（請求項１について）
縦横に指向する鉄筋の交差部でそれぞれに指向する鉄筋を受け金具および受容部に受け止めさせる。これにより、鉄筋を受け金具および受容部にセットするだけの簡単な操作で、左右および前後方向の揺れ止めがなされ、ブロック体を鉄筋に対して略垂直状態かつ安定状態に確実に装着固定することができる。
この際、当接部は型取り部と一点接触により当接させているので、仕上げ後のコンクリート面から露出するブロック体の部分が小さくなり綺麗な外観を呈して見栄えが良い。型取り部に対して当接部が一点接触していることに伴い、コンクリートを型取り部に流し込む時に当接部の近傍にまでコンクリートが十分流動する。このため、水分の多いコンクリート成分だけがブロック体の底面に流動して溜まることがなくて施工後に鉄筋コンクリートの強度が劣ることがない。
【０００９】
（請求項２について）
受け金具は、ばね線材により一対のフック部として形成されているので、鉄筋を受け金具に入れ易く、受容部は段状に形成されているので、鉄筋を受容部にセットし易い利点が得られる。
（請求項３について）
受け金具は、ばね線材で鉄筋を受入れる時に弾性変形して案内する。このため、鉄筋を受け金具に入れ易い上に鉄筋の抜止め作用が得られる。
【００１０】
（請求項４について）
受容部は溝状に形成されているので、請求項２と同様に鉄筋をセットし易い利点が得られる。
【００１１】
（請求項５について）
受け金具は、ばね線材を折り曲げて形成した一対のフック部からなり、各フック部はブロック体に埋設された基部と、この基部から外方に膨出するように曲成した拡開部と、この拡開部から内方に曲げて形成した湾曲部と、この湾曲部からさらに内側に折り曲げて形成した返り部とを備える。受け金具のフック部は、ばね線材により形成されているため安価に量産することができ、ブロック体への埋設も容易であるため鉄筋コンクリート用スペーサの製造コストが廉価になる。鉄筋の装着時には鉄筋をフック部に対して押圧するだけでフック部に抜止め状態に装着でき、装着後は返り部の先端が鉄筋に係止するため鉄筋が不用意に脱落することがない。また、フック部は、湾曲部から内方に向かう返り部を形成しているので、返り部を設けず拡開部から先端が外部に露呈しているものと異なり、装着作業時にばね線材の先端が手指に刺って怪我を負うことがなく安全である。
【００１２】
（請求項６について）
ブロック体は、全体的に略砲弾状に形成されているので、量産し易く比較的軽量で取扱いが簡単になり、ブロック体に鉄筋を手早く装着することができて作業性の向上に資することができる。
【００１３】
【発明の実施の形態】
本発明の各実施例を図面を参照しながら説明する。
図１ないし図３は本発明の第１実施例を示す。図１に示す鉄筋コンクリート用スペーサ１はコンクリート製のブロック体１Ａを有している。ブロック体１Ａは、所定の高さ寸法Ｈ（かぶり）を有する略砲弾状をなし、下側端Ｌ、中間側部Ｍおよび上側端Ｎを互いに曲率が僅かに異なる曲線状の稜線に形成している。ブロック体１Ａの下端部に球面部として略半球面状に形成した当接部２を一体に設け、上端部に平坦面部３を形成している。平坦面部３には、ばね線材により形成した一対のフック部４ａを有する受け金具４を図示左右に一組設けている。
【００１４】
フック部４ａは、ばね線材を中間部で互いに対称的に折り曲げて形成したもので、各フック部４ａは平坦面部３に埋設された基部４ｂと、この基部４ｂから外方に膨出するように曲成した拡開部４ｃと、この拡開部４ｃから内方に曲げて形成した湾曲部４ｄと、この湾曲部４ｄから内側にさらに折り曲げて形成した返り部４ｅとを備えている。フック部４ａのうち湾曲部４ｄは、後述する鉄筋６の受入れ時に弾性変形して鉄筋６を受入れ易くする案内部を構成する。平坦面部３と上側端Ｎとの境界部は、後述する鉄筋７の直径寸法に略等しい段差で段状に形成した受容部５を備えている。
【００１５】
鉄筋コンクリート造りの建造物の施工では、図２および図３に示すように型枠や床といった型取り部８に鉄筋６、７を縦横（一方向および他方向）に指向させて配置した後にコンクリート（モルタルを含む）を流し込む。コンクリートを流し込むに先立って、鉄筋６、７と型取り部８の内面部８ａとの間に所定の間隔Ｓを保持するため、ブロック体１Ａを型取り部８内に配置して内面部８ａに当接部２を一点接触状態に当接させる。ブロック体１Ａの平坦面部３を鉄筋６、７の交差部９に位置させて縦方向の鉄筋６を受け金具４に抜止め状態に入れて横方向の鉄筋７を受容部５にセットする。
【００１６】
これにより、ブロック体１Ａは、左右および前後方向の揺れ止めがなされた安定状態で鉄筋６、７に略垂直状態に装着固定される。鉄筋６を受け金具４にセットする過程では、鉄筋６がフック部４ａの湾曲部４ｄを弾性変形させながら拡開部４ｃを押し広げて拡開部４ｃ間に挟持され、返り部４ｅが鉄筋６に抜止め状態に係止して鉄筋６の脱落防止を図っている。なお、交差部９では、鉄筋６、７同士は金属線や溶接などといった固定手段Ｗにより固定されている。
【００１７】
（実施例上の効果）
このように建造物の施工時に縦横に指向する鉄筋６、７の交差部９で鉄筋６、７を受け金具４および受容部５に受け止めさせる。この際、鉄筋６をフック部４ａの湾曲部４ｄに押圧して鉄筋７を段状の受容部５にセットするだけの簡単な操作で、ブロック体１Ａを左右および前後方向の揺れ止めさせた状態で鉄筋６、７に対して安定した状態で略垂直状態に装着固定することができる。
しかも、当接部２は型取り部８に一点接触により当接させているので、仕上げ後のコンクリート面から露出するブロック体１Ａの部分が小さくなり綺麗な外観を呈して見栄えが良い。当接部２を型取り部８に対して一点接触で当接させたことに伴い、コンクリートを型取り部８に流し込む時にコンクリートが当接部２の近傍にまで十分流動する。このため、水分の多いコンクリート成分だけがブロック体１Ａの底面に流動して溜まることがなくて施工後に鉄筋コンクリートの強度が劣ることがない。
【００１８】
図４は本発明の第２実施例を示す。第２実施例では、ブロック体１Ａの中間側部Ｍおよび上側端Ｎを互いに異なる曲率で曲線状の稜線に形成した第１実施例に対して中間側部Ｍおよび上側端Ｎを互いに勾配の異なる直線状の稜線に形成している。このようにしても第１実施例と同様な効果が得られる。
【００１９】
図５は本発明の第３実施例を示す。第３実施例では、第１実施例の段状の受容部５に代わって溝状の受容部５を条溝部としてフック部４ａの間で平坦面部３の略直径方向に形成している。この場合、溝状の受容部５の深さ寸法は鉄筋７の直径寸法略同一に設定している。受容部５の底部は、図６に第４実施例として示すように丸み部５Ａを持たせてもよく、あるいは図７に第５実施例として示すように両隅部に所定角度の面取り部５Ｂを形成してもよい。
【００２０】
（実施態様の変形例）
上記実施例ではブロック体１Ａを略砲弾状に形成したが、略楕円体などをはじめ紡錘形、角柱、円柱、逆多角錐や逆円錐などの様々な立体形状に適用してもよく、要は当接部２が型取り部８の内面部８ａに一点接触する球面部を有すればよい。また、縦方向の鉄筋６を受け金具４に受けさせて横方向の鉄筋７を受容部５に受けさせたが、逆に縦方向の鉄筋６を受容部５に受けさせて横方向の鉄筋７を受け金具４に受けさせてもよい。
【図面の簡単な説明】
【図１】鉄筋コンクリート用スペーサの拡大斜視図である（第１実施例）。
【図２】鉄筋に装着した鉄筋コンクリート用スペーサの拡大斜視図である。
【図３】型取り部内で鉄筋に装着した鉄筋コンクリート用スペーサの斜視図である。
【図４】鉄筋コンクリート用スペーサの拡大斜視図である（第２実施例）。
【図５】鉄筋コンクリート用スペーサの拡大斜視図である（第３実施例）。
【図６】鉄筋コンクリート用スペーサの拡大斜視図である（第４実施例）。
【図７】鉄筋コンクリート用スペーサの拡大斜視図である（第５実施例）。
【符号の説明】
１  鉄筋コンクリート用スペーサ
２  当接部
３  平坦面部
４  受け金具
５  受容部
６、７  鉄筋
８  型取り部
９  交差部
１Ａ  ブロック体
Ｓ  間隔
４ａ  フック部
４ｂ  基部
４ｃ  拡開部
４ｄ  湾曲部
４ｅ  返り部
【図１】
2004176260.tif 000003
【図２】
2004176260.tif 000004
【図３】
2004176260.tif 000005
【図４】
2004176260.tif 000006
【図５】
2004176260.tif 000007
【図６】
2004176260.tif 000008
【図７】
2004176260.tif 000009